(57)【要約】【課題】テレビ等の板状装置にスピーカを取り付けるためのスピーカ支持体において、（１）利用者がスピーカの高さを変更すること、および、（２）板状装置の背面に設けられた部材との干渉を回避することが可能なスピーカ支持体を実現する。【解決手段】板状装置（４）の背面に取り付け可能な基体（２１）と、上記基体が上記背面に取り付けられたときに、上記基体から上記背面と略平行に伸びるアームであって、上記背面と略垂直な軸を回転軸として回転可能なアーム（２２）と、上記アームの先端に設けられた、スピーカ（３）を取り付けるための取付部（２３）と、を備えている、ことを特徴とするスピーカ支持体（２）。【選択図】図１
2016167765.tif 000002
【特許請求の範囲】
【請求項１】
板状装置の背面に取り付け可能な基体と、
上記基体が上記背面に取り付けられたときに、上記基体から上記背面と略平行に伸びるアームであって、上記背面と略垂直な軸を回転軸として回転可能なアームと、
上記アームの先端に設けられた、スピーカを取り付けるための取付部と、を備えている、
ことを特徴とするスピーカ支持体。
【請求項２】
上記アームとして、一端が上記基体に連結され、他端に上記取付部が設けられた複数のアームを備えており、これら複数のアームが互いに独立に回転可能である、
ことを特徴とする請求項１に記載のスピーカ支持体。
【請求項３】
上記アームとして、上記基体内で交差する２本のアームを備えており、
上記取付部として、上記２本のアームの両端に設けられた、合計４つの取付部を備えている、
ことを特徴とする請求項１に記載のスピーカ支持体。
【請求項４】
上記アームは、伸縮可能である、
ことを特徴とする請求項１から３の何れか１項に記載のスピーカ支持体。
【請求項５】
上記取付部は、当該取付部に取り付けられたスピーカの位置を、上記アームの回転軸に平行な方向にスライドさせるためのスライド機構を有している、
ことを特徴とする請求項１から４の何れか１項に記載のスピーカ支持体。
【請求項６】
上記取付部は、当該取付部に取り付けられたスピーカの向きを、上記アームの長手軸に平行な第１軸を回転軸として回転させるための回転機構、及び、当該取付部に取り付けられたスピーカの向きを、上記アームの回転軸と長手軸との双方に直交する第２軸を回転軸として回転させるための回転機構の一方、又は、両方を有している、
ことを特徴とする請求項１から５の何れか１項に記載のスピーカ支持体。
【請求項７】
上記基体には、アンプが内蔵されている、
ことを特徴とする請求項１から６の何れか１項に記載のスピーカ支持体。
【請求項８】
上記基体には、サブウーファが設けられている、
ことを特徴とする請求項１から７の何れか１項に記載のスピーカ支持体。
【請求項９】
上記板状装置は、テレビジョン受像機である、
ことを特徴とする請求項１から８の何れか１項に記載のスピーカ支持体。
【請求項１０】
請求項１から９の何れか１項に記載のスピーカ支持体と、上記取付部に取り付けられたスピーカと、を備えている、
ことを特徴とするスピーカシステム。
【請求項１１】
上記スピーカ支持体は、上記取付部として４つの取付部を有しており、
右上及び左上の取付部に取り付けられたスピーカは、ツイータであり、右下及び左下の取付部に取り付けられたスピーカは、ウーファである、
ことを特徴とする請求項１０に記載のスピーカシステム。
【請求項１２】
上記取付部に取り付けられたスピーカの形状は、上記板状装置の正面から見たときに円形であることを特徴とする請求項１０または１１に記載のスピーカシステム。
【発明の詳細な説明】
【技術分野】
【０００１】
本発明は、板状装置の周囲にスピーカを配置するためのスピーカ支持体、および、そのようなスピーカ支持体を含むスピーカシステムに関する。
【背景技術】
【０００２】
従来、テレビジョン受像機（以下、単にテレビと記載する）のスピーカは、フロントキャビネットに内蔵することが一般的であった。ところが、テレビの狭額縁化が求められることになり、スピーカをフロントキャビネットに内蔵することが困難になってきた。特に、口径の大きい高音質なスピーカを狭額縁テレビのフロントキャビネットに内蔵することは難しい。
【０００３】
そこで、別筐体のスピーカをテレビに取り付けることが行われている。例えば、特許文献１には、ディスプレイ装置の背面に敷設されている１又は複数の取り付け板を用いて、ディスプレイ装置の正面から見て左右両側にスピーカを取り付けるスピーカ取り付け部材が開示されている。このスピーカ取り付け部材は、上記取り付け板と、上記取り付け板の長手方向に沿った第一の方向の所定位置で上記取り付け板と交差するように連結される連結部材と、上記第一の方向と直交する第二の方向に沿って移動可能なように上記連結部材に連結される可動部材と、上記可動部材に取り付けられ、スピーカを取り付け可能なスピーカ取り付けパネルと、を備える。
【先行技術文献】
【特許文献】
【０００４】
【特許文献１】特開２０１０−１９３４１８号公報（２０１０年９月２日公開）
【発明の概要】
【発明が解決しようとする課題】
【０００５】
しかしながら、特許文献１に記載のスピーカ取り付け部材には、テレビの左右に配置されるスピーカの間隔を変更することはできても、これらのスピーカの高さを容易に変更することはできない（スピーカの高さを変更するためには、スピーカ取り付け部材を組み立て直す必要がある）という問題があった。
【０００６】
例えば、テレビに取り付けられるスピーカは、音像が画面内の適切な位置（例えば画面中央）に定位するよう、適切な高さに調整される必要がある。組み立て直すことなくスピーカの高さを変更することができない特許文献１に記載のスピーカ取り付け部材では、音像の位置を調整するたびに面倒な作業をユーザに強いることになる。
【０００７】
また、特許文献１に記載のスピーカ取り付け部材には、可動部材がテレビの背面に設けられた入出力コネクタと干渉するという問題があった。このような干渉を回避するためにも、スピーカ取り付け部材の組み立て直しという面倒な作業をユーザに強いることになる。
【０００８】
本発明は、上記の課題に鑑みてなされたものであり、その目的は、テレビ等の板状装置にスピーカを取り付けるためのスピーカ支持体において、（１）利用者がスピーカの高さを変更すること、および、（２）板状装置の背面に設けられた部材との干渉を回避することが可能なスピーカ支持体を実現することにある。
【課題を解決するための手段】
【０００９】
上記課題を解決するために、本発明の一態様に係るスピーカ支持体は、板状装置の背面に取り付け可能な基体と、上記基体が上記背面に取り付けられたときに、上記基体から上記背面と略平行に伸びるアームであって、上記背面と略垂直な軸を回転軸として回転可能なアームと、上記アームの先端に設けられた、スピーカを取り付けるための取付部と、を備えている。
【発明の効果】
【００１０】
本発明によれば、テレビ等の板状装置にスピーカを取り付ける場合に、（１）利用者がスピーカの高さを変更すること、および、（２）板状装置の背面に設けられた部材との干渉を回避することができる。
【図面の簡単な説明】
【００１１】
【図１】実施形態１に係るスピーカシステムが取り付けられたテレビの外観を示す図である。（ａ）は、テレビの正面図であり、（ｂ）は、テレビの側面図であり、（ｃ）は、テレビの上面図である。
【図２】実施形態１に係るスピーカ支持体の外観を示す図である。（ａ）は、テレビの背面に取り付ける前のスピーカ支持体の斜視図であり、（ｂ）は、テレビの背面に取り付けた後のスピーカ支持体の斜視図である。
【図３】実施形態１に係るスピーカ支持体が取り付けられたテレビの背面図である。
【図４】実施形態２に係るスピーカ支持体における取付部の動作を示す図である。（ａ）〜（ｃ）はスピーカがテレビの前後方向にスライドする様子を示す上面図であり、（ｄ）〜（ｆ）はスピーカがヨー方向に回転する様子を示す上面図であり、（ｇ）〜（ｉ）はスピーカがピッチ方向に回転する様子を示す側面図である。
【図５】実施形態２に係るスピーカ支持体の取付部の構成例を示す図である。（ａ）は、取付部の正面図であり、（ｂ）は、取付部のＢ−Ｂ断面図であり、（ｃ）は、取付部の上面図であり、（ｄ）は、取付部のＣ−Ｃ断面図であり、（ｅ）は、取付部のＡ−Ａ断面図である。
【図６】実施形態３に係るスピーカ支持体の構成例を示す図である。（ａ）は、スピーカ支持体の背面図であり、（ｂ）は、スピーカ支持体のＡ−Ａ断面図である。
【図７】実施形態３に係るスピーカ支持体におけるアームの動作を示す図である。（ａ）はアームが最も短く、同期ピンがガイド溝の中央に位置する状態にあるスピーカ支持体の背面図であり、（ｂ）は、同期ピンがガイド溝の上限、中央、下限に位置する状態にあるスピーカ支持体の背面図であり、（ｃ）は、アームが最短、中間、最長の状態にあるスピーカ支持体の背面図である。
【図８】実施形態４に係るスピーカ支持体が取り付けられたテレビの背面図である。
【図９】実施形態５に係るスピーカ支持体が取り付けられたテレビの背面図である。
【発明を実施するための形態】
【００１２】
〔実施形態１〕
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。特に、本発明の実施形態１に係るスピーカ支持体は、アームを４本にしたものである。
【００１３】
まず、本発明の実施形態１に係るスピーカシステム１について、図１を参照して説明する。図１は、本実施形態に係るスピーカシステムが取り付けられたテレビ（板状装置）４の外観を示す図である。図１（ａ）は、テレビ４の正面図であり、図１（ｂ）は、テレビ４の側面図であり、図１（ｃ）は、テレビ４の上面図である。
【００１４】
スピーカシステム１は、テレビ４に取り付けて使用されるスピーカシステムであり、スピーカ支持体２、およびスピーカ３を備える。本実施形態に係るスピーカシステム１は、図１（ａ）に示すように、スピーカ支持体２、および４つのスピーカ３Ａ、３Ｂ、３Ｃ、３Ｄを備える。４つのスピーカ３Ａ、３Ｂ、３Ｃ、３Ｄは、それぞれ、画面４１の上部左側、下部左側、上部右側、下部右側にテレビ４の正面を向いて配置される。図示のように、スピーカ３の形状は、テレビ４の正面から見たときに円形になっているが、他の形状であってもよい。
【００１５】
スピーカ支持体２は、スピーカ３を支持する機構であり、基体２１、アーム２２、および取付部２３を備える。図１（ｂ）および（ｃ）に示すように、基体２１は、テレビ４の背面４２に取り付けられる。アーム２２（２２Ａ、２２Ｂ、２２Ｃ、２２Ｄ）は、基体２１からテレビ４の背面４２と略平行に伸びる。取付部２３（２３Ａ、２３Ｃ）は、アーム２２（２２Ａ、２２Ｃ）の先端に設けられ、スピーカ３（３Ａ、３Ｃ）を取り付けるために利用される。
【００１６】
次に、本発明の実施形態１に係るスピーカ支持体２について、図２を参照して説明する。図２は、本実施形態に係るスピーカ支持体２の外観を示す図である。図２（ａ）は、テレビ４の背面４２に取り付ける前のスピーカ支持体２の斜視図であり、図２（ｂ）は、テレビ４の背面４２に取り付けた後のスピーカ支持体２の斜視図である。
【００１７】
図２（ａ）に示すように、テレビ４の背面４２には、テレビ４を壁掛けするためのＶＥＳＡ（Video Electronics Standards Association）規格に準拠したネジ孔４３が形成されている。そのネジ孔４３を用いて、テレビ４にスピーカ支持体２が取り付けられる。より具体的に言うと、図２（ｂ）に示すように、スピーカ支持体２のうち、基体２１がテレビ４の背面４２にビス止めされる。そして、基体２１からアーム２２Ａ、２２Ｂ、２２Ｃおよび２２Ｄが放射状に伸びており、各アーム２２の先端部にそれぞれ取付部２３（図５参照）を介してスピーカ３Ａ、３Ｂ、３Ｃ、３Ｄが取り付けられる。また、図２（ａ）に示すように、基体２１は、シャーシ２１１及びカバー２１２を備える。シャーシ２１１は、テレビ４の背面４２に取り付けられる板状部材であり、基体２１の、テレビ４の背面４２側の方向に面した部分である。カバー２１２は、４本のアーム２２の、シャーシ２１１に取り付けられた部分を覆う箱型部材である。
【００１８】
続いて、本発明の実施形態１に係るスピーカ支持体２の構造例について、図３を参照して説明する。図３は、本実施形態に係るスピーカ支持体２が取り付けられたテレビ４の背面図である。
【００１９】
図３に示すように、アーム２２Ａ、２２Ｂ、２２Ｃ、２２Ｄは、それぞれ角度固定ネジ２１３Ａ、２１３Ｂ、２１３Ｃ、２１３Ｄを中心軸としてシャーシ２１１に回転可能に設けられる。シャーシ２１１には、角度固定ネジ２１３Ａ、２１３Ｂ、２１３Ｃ、２１３Ｄから離れた左右の位置に摺動部２１４Ａおよび２１４Ｂが設けられる。摺動部２１４Ａおよび２１４Ｂは、三日月状（ブーメラン状）に湾曲して形成され、当該表面がそれぞれアーム２２Ａ、２２Ｂおよびアーム２２Ｃ、２２Ｄと摺動する。なお、アーム２２Ａ、２２Ｂ、２２Ｃ、２２Ｄは、それぞれが独立して動かすことが可能な４本のアームになっている。以下に、各アーム２２の詳細を説明する。
【００２０】
アーム２２Ａは、その端部に貫通孔が形成された棒状部材である。アーム２２Ａは、この貫通孔を貫通する角度固定ネジ２１３Ａによって基体２１のシャーシ２１１に連結されており、この角度固定ネジ２１３Ａを回転軸として回転可能である。これにより、アーム２２Ａをテレビ４の背面４２と略垂直な軸を回転軸として回転させることが可能になる。そして、アーム２２Ａは、角度固定ネジ２１３Ａを締めることにより、摺動部２１４Ａとの摩擦の作用で回転が抑止されて任意の角度に維持され、取付部２３Ａを介してスピーカ３Ａを支持する。
【００２１】
アーム２２Ｂは、その端部に貫通孔が形成された棒状部材である。アーム２２Ｂは、この貫通孔を貫通する角度固定ネジ２１３Ｂによって基体２１のシャーシ２１１に連結されており、この角度固定ネジ２１３Ｂを回転軸として回転可能である。これにより、アーム２２Ｂをテレビ４の背面４２と略垂直な軸を回転軸として回転させることが可能になる。そして、アーム２２Ｂは、角度固定ネジ２１３Ｂを締めることにより、摺動部２１４Ａとの摩擦の作用で回転が抑止されて任意の角度に維持され、取付部２３Ｂを介してスピーカ３Ｂを支持する。
【００２２】
アーム２２Ｃは、その端部に貫通孔が形成された棒状部材である。アーム２２Ｃは、この貫通孔を貫通する角度固定ネジ２１３Ｃによって基体２１のシャーシ２１１に連結されており、この角度固定ネジ２１３Ｃを回転軸として回転可能である。これにより、アーム２２Ｃをテレビ４の背面４２と略垂直な軸を回転軸として回転させることが可能になる。そして、アーム２２Ｃは、角度固定ネジ２１３Ｃを締めることにより、摺動部２１４Ｂとの摩擦の作用で回転が抑止されて任意の角度に維持され、取付部２３Ｃを介してスピーカ３Ｃを支持する。
【００２３】
アーム２２Ｄは、その端部に貫通孔が形成された棒状部材である。アーム２２Ｄは、この貫通孔を貫通する角度固定ネジ２１３Ｄによって基体２１のシャーシ２１１に連結されており、この角度固定ネジ２１３Ｄを回転軸として回転可能である。これにより、アーム２２Ｄをテレビ４の背面４２と略垂直な軸を回転軸として回転させることが可能になる。そして、アーム２２Ｄは、角度固定ネジ２１３Ｄを締めることにより、摺動部２１４Ｂとの摩擦の作用で回転が抑止されて任意の角度に維持され、取付部２３Ｄを介してスピーカ３Ｄを支持する。
【００２４】
〈効果〉
上記によれば、左右に伸びるアーム２２Ａ、２２Ｂ、２２Ｃ、２２Ｄをテレビ４の背面４２に平行に回転自在な構造とすることにより、スピーカ３と、テレビ４との位置関係を調整することができる。
【００２５】
次に、アーム２２Ａまたは２２Ｂの角度を変更することにより、テレビ４の背面４２に配設される入出力コネクタとの干渉を回避することができる。また、角度固定ネジ２１３と、摺動部２１４Ａおよび２１４Ｂとを用いてアーム２２を固定することにより、重量のあるスピーカ３を支持することができる。
【００２６】
さらに、各アームを独立して動かせるので、基体２１がテレビ４の背面４２の上側に取り付けられたとしても、アーム２２Ａ、２２Ｂの先で支持されたスピーカ３Ａ、３Ｂの両方を下方向へ向けることにより、スピーカ３Ａ、３Ｂの中点において作られる音像を、画面４１の高さ方向における中央に位置付けることができる。逆に、基体２１がテレビ４の背面４２の下側に取り付けられたとしても、アーム２２Ａ、２２Ｂの先で支持されたスピーカ３Ａ、３Ｂの両方を上方向へ向けることにより、スピーカ３Ａ、３Ｂの中点において作られる音像を、画面４１の高さ方向における中央に位置付けることができる。
【００２７】
すなわち、基体２１がテレビ４の背面４２の、いずれの高さに取り付けられたとしても、スピーカ３Ａ、３Ｂの中点において作られる音像を、画面４１の高さ方向における中央に位置付けることができる。これは、スピーカ３Ｃ、３Ｄに関しても同様である。
【００２８】
また、スピーカ３Ａ、３Ｂ、３Ｃ、３Ｄの形状がテレビ４の正面から見て円形になっているので、矩形のスピーカと比較して、アームを回転させたとしても、テレビ４の正面から見たときの外観を損なうことがない。
【００２９】
なお、４本のアーム２２Ａ、２２Ｂ、２２Ｃ、２２Ｄは、ギヤなどを用いて機械的に回転の同期を取るものであってもよいし、モータおよびセンサを使って回転位置を安定させるものであってもよい。また、４本のアームに限らず、４本以外の複数本のアームであってもよい。
【００３０】
〔実施形態２〕
次に、本発明の実施形態２に係るスピーカ支持体の取付部について説明する。本発明の実施形態２は、実施形態１に係るスピーカ支持体２の取付部２３（２３Ａ，２３Ｃ）にスライド機構および回転機構を付加したものである。
【００３１】
まず、本発明の実施形態２に係るスピーカ支持体２が備える取付部２３のスライド機構および回転機構の動作について、図４を参照して説明する。図４は、本実施形態に係るスピーカ支持体２が備える取付部２３のスライド機構および回転機構の動作例を示す図である。図４においては、アーム２２の回転軸に平行な軸をＸ軸とし、アーム２２の長手軸に平行な軸をＹ軸（第１軸）とし、アーム２２の回転軸およびアーム２２の長手軸の双方に直交する軸をＺ軸（第２軸）としている。
【００３２】
取付部２３は、当該取付部２３に取り付けられたスピーカ３の位置を、アーム２２の回転軸（Ｘ軸）に平行な方向にスライドさせるためのスライド機構を備えている。これにより、利用者は、スピーカを図４（ａ）〜（ｃ）に示すようにスライドさせることができる。図４（ａ）はスピーカ３がＸ軸正方向側（テレビ４の正面側）にスライドされた状態を示し、図４（ｂ）はスピーカ３が中間に位置する状態を示し、図４（ｃ）はスピーカ３がＸ軸負方向側（テレビ４の背面側）にスライドされた状態を示す。なお、図４（ａ）〜（ｃ）においては、紙面上方をＸ軸正方向、紙面左方をＹ軸正方向、紙面手前方向をＺ軸正方向としている。このようなスピーカ３のスライド動作は、取付部２３のうち、スピーカ３の接続部分が、アーム２２の接続部分に対してスライド可能な構造とすることにより実現される。なお、このようなスピーカ３のスライド動作のことを、「前後方向のスライド」とも記載する。
【００３３】
また、取付部２３は、当該取付部２３に取り付けられたスピーカ３の向きを、アーム２２の回転軸とアーム２２長手軸との双方に直交する軸（第２軸）を回転軸として回転させるための回転機構を備えている。これにより、利用者は、スピーカ３を図４（ｄ）〜（ｆ）に示すように回転させることができる。図４（ｄ）はスピーカ３が外振りされた状態（スピーカ３の中心軸とアーム２２の長手軸との成す角が９０°よりも大きい状態）を示し、図４（ｅ）はスピーカ３が正面に向いた状態（スピーカ３の中心軸とアーム２２の長手軸との成す角が９０°になる状態）を示し、図４（ｆ）はスピーカ３が内振りされた状態（スピーカ３の中心軸とアーム２２の長手軸との成す角が９０°よりも小さい状態）を示す。図４（ｄ）〜（ｆ）においては、紙面上方をＸ軸正方向、紙面左方をＹ軸正方向、紙面手前方向をＺ軸正方向としている。このようなスピーカ３の回転動作は、取付部２３のうち、スピーカ３の接続部分がアーム２２の接続部分に対して、滑らかな曲面（例えば、球面の一部）に沿ってスライドすることにより実現される。なお、このようなスピーカ３の回転動作のことを、本明細書では、「ヨー方向の回転」とも記載する。
【００３４】
さらに、取付部２３は、当該取付部２３に取り付けられたスピーカ３の向きを、アーム２２の長手軸に平行な軸（第１軸）を回転軸として回転させるための回転機構を備えている。これにより、利用者は、スピーカ３を図４（ｇ）〜（ｉ）に示すように回転させることができる。スピーカ３が画面４１の右側に配置される場合に、図４（ｇ）はスピーカ３が上振りされた状態を示し、図４（ｈ）はスピーカ３が水平方向に向いた状態を示し、図４（ｉ）はスピーカ３が下振りされた状態を示す。図４（ａ）〜（ｃ）においては、紙面上方をＸ軸正方向、紙面奥行方向をＹ軸正方向、紙面左方をＺ軸正方向としている。このようなスピーカ３の回転動作は、取付部２３のうち、スピーカ３の接続部分がアーム２２の接続部分に対して、アーム２２の長手軸に平行な軸（第１軸）を回転軸として回転することにより実現される。なお、このようなスピーカ３の回転動作のことを、本明細書では、「ピッチ方向の回転」とも記載する。
【００３５】
次に、本発明の実施形態２に係る取付部２３およびスピーカ３の構造の詳細について、図５を参照して説明する。図５は、本実施形態に係る取付部２３およびスピーカ３の構造例を示す図である。図５（ａ）は正面図を示し、図５（ｂ）はＢ−Ｂ断面図を示し、図５（ｃ）は上面図を示し、図５（ｄ）はＣ−Ｃ断面図を示し、図５（ｅ）はＡ−Ａ断面図を示す。
【００３６】
取付部２３は、ヨーベース部２３１、スライドベース部２３２、スライド金具２３３、ピッチシャフト２３４、ヨー固定ネジ２３５、前後固定ネジ２３６、ピッチ固定ネジ２３７を備えている。
【００３７】
図５（ｂ）に示すように、ヨーベース部２３１は、一方の面にスピーカ３が固定されるとともに、他方の面がスライドベース部２３２に曲面で接する。スライドベース部２３２は、一方の面がヨーベース部２３１に曲面で接するともに、他方の面がスライド金具２３３に平面で接する。スライド金具２３３は、一方の面がスライドベース部２３２に平面で接するとともに、他方の面がその中心付近においてピッチシャフト２３４の一端に固定される。ピッチシャフト２３４は、円筒状の軸であり、その一端がスライド金具２３３の中心付近に固定されるとともに、アーム２２の穴部に貫通している。
【００３８】
ヨー固定ネジ２３５は、スライドベース部２３２に対するヨーベース部２３１のスライドを抑止する。前後固定ネジ２３６は、スライド金具２３３に対するスライドベース部２３２のスライドを抑止する。ピッチ固定ネジ２３７は、アーム２２に対するピッチシャフト２３４の回転を抑止する。
【００３９】
スピーカ３の前後方向のスライド（図４（ａ）〜（ｃ）参照）は、スライド金具２３３に対して、スライドベース部２３２を移動させることにより行われる。スライド位置は、前後固定ネジ２３６により固定される。
【００４０】
スピーカ３のヨー方向の回転（図４（ｄ）〜（ｆ）参照）は、スライドベース部２３２に対して、ヨーベース部２３１を移動させることにより行われる。回転位置は、ヨー固定ネジ２３５により固定される。
【００４１】
スピーカ３をピッチ方向の回転（図４（ｇ）〜（ｉ）参照）は、アーム２２に対して、ピッチシャフト２３４を回転させることにより行われる。回転位置は、ピッチ固定ネジ２３７により固定される。
【００４２】
〈効果〉
取付部２３が、当該取付部２３に取り付けられたスピーカ３の位置を、アーム２２の回転軸に平行な方向にスライドさせるためのスライド機構を有することにより、テレビ４およびスピーカ３全体の重心位置を前後方向に変えることができる。従って、テレビ４およびスピーカ３を転倒しにくい状態にすることができる。これにより、従来技術の、スピーカをテレビの周囲に取り付けた場合に、そのスピーカの重さにより転倒してしまう、または、転倒しやすくなる可能性があるという問題点を解決することができる。
【００４３】
また、取付部２３が、当該取付部２３に取り付けられたスピーカ３の向きを、アーム２２の長手軸に平行な第１軸を回転軸として回転させるための回転機構、及び、当該取付部２３に取り付けられたスピーカ３の向きを、アーム２２の回転軸と長手軸との双方に直交する第２軸を回転軸として回転させるための回転機構を有することにより、スピーカ３の開口部（発音部）の方向を変えることができる。従って、利用者は、より良好なステレオイメージを得ることができる。
【００４４】
なお、上記２つの回転機構は、いずれか一方が設けられてもよいし、両方が設けられてもよい。
【００４５】
〔実施形態３〕
次に、本発明の実施形態３に係るスピーカ支持体の変形例について説明する。本発明の実施形態３は、スピーカ支持体のアームを２本にし、交差させたものである。
【００４６】
続いて、本発明の実施形態３に係るスピーカ支持体２ａの詳細について、図６を参照して説明する。図６は、本実施形態に係るスピーカ支持体２ａの構成例を示す図である。（ａ）は、スピーカ支持体２ａの背面図であり、（ｂ）は、スピーカ支持体２ａのＡ−Ａ断面図である。
【００４７】
本実施形態に係るスピーカ支持体２ａは、図６（ａ）、（ｂ）に示すように、基体２１ａ、並びに、基体２１ａ内で交差する２本のアーム２２Ｅおよび２２Ｆを備えている。
【００４８】
図６（ｂ）に示すように、基体２１ａは、シャーシ２１１ａ及びカバー２１２ａを備える。シャーシ２１１ａは、テレビ４の背面４２に取り付けられる板状部材である。シャーシ２１１ａの四隅には、貫通孔が形成されており、シャーシ２１１ａは、この貫通孔を貫通するビス２１８によって、テレビ４の背面４２に設けられたＶＥＳＡ規格準拠のネジ孔４３にビス止めされる。カバー２１２ａは、２本のアーム２２Ｅおよび２２Ｆが交差する交差点を覆う箱型部材である。
【００４９】
図６（ａ）に示すように、アーム２２Ｅは、アーム部２２Ｅ１、スライド部２２Ｅ２、固定ネジ２２Ｅ３および２２Ｅ４、スライド部２２Ｅ５、並びに固定ネジ２２Ｅ６および２２Ｅ７を備える。アーム部２２Ｅ１は、その中心部に貫通孔（不図示）が形成された棒状部材である。アーム部２２Ｅ１は、この貫通孔を貫通する角度固定ネジ２１３Ｅによって基体２１ａのシャーシ２１１ａに連結されており、この角度固定ネジ２１３Ｅを回転軸として回転可能である（角度固定ネジ２１３Ｅを締めれば、この回転を抑止することも可能である）。これにより、アーム２２Ｅをテレビ４の背面４２と略垂直な軸を回転軸として回転させることが可能になる。
【００５０】
スライド部２２Ｅ２は、その長手方向に伸びるスリットが形成された棒状部材である。スライド部２２Ｅ２は、このスリットを貫通する２本の固定ネジ２２Ｅ３および２２Ｅ４によってアーム部２２Ｅ１の一端に連結されており、アーム部２２Ｅ１の長手方向にスライド可能である（固定ネジ２２Ｅ３および２２Ｅ４を締めれば、このスライドを抑止することもできる）。これにより、アーム２２Ｅを伸縮させることが可能になる。
【００５１】
スライド部２２Ｅ５は、その長手方向に伸びるスリットが形成された棒状部材である。スライド部２２Ｅ５は、このスリットを貫通する２本の固定ネジ２２Ｅ６および２２Ｅ７によってアーム部２２Ｅ１の他端に連結されており、アーム部２２Ｅ１の長手方向にスライド可能である（固定ネジ２２Ｅ６および２２Ｅ７を締めれば、このスライドを抑止することもできる）。これにより、アーム２２Ｅを更に伸縮させることが可能になる。
【００５２】
アーム２２Ｆは、アーム部２２Ｆ１、スライド部２２Ｆ２、固定ネジ２２Ｆ３および２２Ｆ４、スライド部２２Ｆ５、固定ネジ２２Ｆ６および２２Ｆ７を備える。アーム２２Ｆは、アーム２２Ｅと同様、テレビ４の背面４２と略垂直な軸を回転軸として回転させることが可能であり、かつ、伸縮させることが可能である。アーム２２Ｆの回転および伸縮を実現するための仕組みは、アーム２２Ｅの回転および伸縮を実現するための仕組みと同様である。
【００５３】
さらに、図６（ａ）に示すように、アーム部２２Ｅ１には、リンク２１５Ｅがリンクピン２１６Ｅを中心に回転可能に設けられる。アーム部２２Ｆ１には、リンク２１５Ｆがリンクピン２１６Ｆを中心に回転可能に設けられる。そして、リンク２１５Ｅおよび２１５Ｆが同期ピン２１７によって結合され、同期ピン２１７はシャーシ２１１ａに設けられたガイド溝に沿って鉛直方向に案内される。このような機構により、右側のスピーカ３Ａが上がれば、同期ピン２１７が上がることにより、左側のスピーカ３Ｃも上がるとともに、右側のスピーカ３Ｂおよび左側のスピーカ３Ｄが下がる。一方、右側のスピーカ３Ａが下がれば、同期ピン２１７が下がることにより、左側のスピーカ３Ｃも下がるとともに、右側のスピーカ３Ｂおよび左側のスピーカ３Ｄが上がる。
【００５４】
例えば、図１（ａ）において、高音用スピーカであるツイータをスピーカ３Ａ、３Ｃとして取り付け、低音用スピーカであるウーファをスピーカ３Ｂ、３Ｄとして取り付けてもよい。実際には、ツイータを左上の取付部２３Ａおよび右上の取付部２３Ｃ（図１（ｃ）参照）に取り付け、ウーファを左下の取付部２３Ｂおよび右下の取付部２３Ｄ（不図示）に取り付ける。
【００５５】
本発明の実施形態１に係るアーム２２の動作について、図７を参照して説明する。図７は、本実施形態に係るスピーカ支持体２ａにおけるアーム２２の動作を示す図である。
【００５６】
図７（ａ）は、アーム２２が最も短く、同期ピン２１７がガイド溝の中央に位置する状態にあるスピーカ支持体２ａの背面図である。図７（ａ）に示すように、例えば、アーム２２Ｅのスライド部２２Ｅ２では、スリットのうち、角度固定ネジ２１３Ｅから最も離れた箇所が固定ネジ２２Ｅ３および２２Ｅ４に位置付いているので、アーム２２Ｅは最も短い状態になる。スライド部２２Ｅ５、２２Ｆ２、２２Ｆ５についても同様である。
【００５７】
図７（ｂ）は、同期ピン２１７がガイド溝の上限、中央、下限に位置する状態にあるスピーカ支持体２ａの背面図である。図７（ｂ）に示すように、同期ピン２１７がガイド溝の、鉛直方向の上限に位置すると、アーム２２Ｅの右端が最も上がり、左端が最も下がるとともに、アーム２２Ｆの右端が最も下がり、左端が最も上がる。従って、スピーカ３Ａおよび３Ｃが最上の位置になり、スピーカ３Ｂおよび３Ｄが最下の位置になる。
【００５８】
一方、同期ピン２１７がガイド溝の、鉛直方向の下限に位置すると、アーム２２Ｅの右端が最も下がり、左端が最も上がるともに、アーム２２Ｆの右端が最も上がり、左端が最も下がる。従って、スピーカ３Ａおよび３Ｃが最下の位置になり、スピーカ３Ｂおよび３Ｄの最上の位置になる。
【００５９】
図７（ｃ）は、アーム２２が最短、中間、最長の状態にあるスピーカ支持体２ａの背面図である。図７（ｃ）に示すように、例えば、アーム２２Ｅのスライド部２２Ｅ２では、スリットのうち、角度固定ネジ２１３Ｅから最も近い箇所が固定ネジ２２Ｅ３および２２Ｅ４に位置付いている場合に、アーム２２Ｅは最も長い状態になる。スライド部２２Ｅ５、２２Ｆ２、２２Ｆ５についても同様である。アーム２２Ｅおよび２２Ｆが伸縮可能なので、大きいサイズのテレビ４にも、小さいサイズのテレビ４にもスピーカ３を配置することができる。
【００６０】
〈効果〉
上記の構成によれば、アーム２２Ｅおよび２２Ｆは交差しており、アーム２２Ｅおよび２２Ｆの両端に４つの取付部２３Ａ、２３Ｂ、２３Ｃ、２３Ｄが設けられるため、テレビ４の左右両側に上下２つのスピーカ３を取り付けることができる。したがって、各アーム２２の両端にスピーカ３が取り付けられることにより、一方のスピーカ３（３Ａ、３Ｂ）の重量によるトルクが他方のスピーカ３（３Ｄ、３Ｃ）の重量によるトルクにより相殺されるので、アームの一端にスピーカを取り付ける場合と比べて、重量のあるスピーカを容易に支持することができる。すなわち、スピーカ支持体に対して構造的な強度を持たせることができ、ひいては、スピーカ支持体を安価に実現することができる。また、アーム２２Ｅまたは２２Ｆの角度を変更することにより、テレビ４の背面４２に配設される入出力コネクタとの干渉を回避することができる。
【００６１】
なお、ツイータをスピーカ３Ａ、３Ｃとして上側に配置し、ウーファをスピーカ３Ｂ、３Ｄとして下側に配置することにより、ウーファはツイータより重量があるため、テレビ４およびスピーカ３全体の重心位置を下げることができるので、テレビ４およびスピーカ３を転倒しにくい状態にすることができる。
【００６２】
また、アーム２２Ｅおよび２２Ｆは、伸縮可能であるので、利用者は、アーム２２Ｅおよびアーム２２Ｆの長さを自在に変更することができる。従って、テレビ４のサイズが大きい場合であっても小さい場合であっても、テレビ４の側方にスピーカ３Ａ、３Ｂ、３Ｃ、３Ｄを配置することができる（スピーカ３Ａ、３Ｂ、３Ｃ、３Ｄがテレビ４の背面に隠れたり、テレビ４から左右に大きく飛び出したりすることを避けられる）。
【００６３】
なお、アーム２２Ｅおよび２２Ｆは、伸縮棹と同様の構造を有する棹状体としてもよい。すなわち、筒状体と、この筒状体の両端に差し込まれた、外径がこの筒状体の内径よりも小さい２本の棒状体とより構成してもよい。この構造においては、筒状体に対する棒状体の出し入れ量を調整することにより、アーム全体の長さを変えることができる。
【００６４】
さらに、リンク２１５Ｅおよび２１５Ｆをそれぞれアーム２２Ｅおよび２２Ｆに接続し、リンク２１５Ｅおよび２１５Ｆを同期ピン２１７で結合し、同期ピン２１７の移動をガイド溝で上下方向に制限することにより、アーム２２Ｅおよび２２Ｆを常に同じ角度に維持することができる。これにより、画面４１の左右に配置されるスピーカ３の高さを同じにすることができる。
【００６５】
〔実施形態４〕
次に、本発明の実施形態４に係るテレビ４の背面４２における配線について説明する。本発明の実施形態４は、テレビ４の背面４２における配線を整理したものである。
【００６６】
本発明の実施形態４に係るテレビ４の背面４２における配線の接続について、図８を参照して説明する。図８は、本実施形態に係るスピーカ支持体２が取り付けられたテレビ４の背面図である。図８に示すように、テレビ４の背面４２には、電気配線設備として、アンプ５１、アンプ電源ケーブル５２、テレビ電源ケーブル５３、音声ケーブル５４、スピーカケーブル５５が設けられている。
【００６７】
アンプ５１は、電源を内蔵する増幅器であり、基体２１（不図示）に内蔵される。そして、外部ＡＣ電源から電力供給を受けて動作し、テレビ４から受け付けた音声信号を増幅してスピーカ３に出力するとともに、テレビ４本体に電力を供給する。アンプ電源ケーブル５２は、アンプ５１から外部ＡＣ電源まで延設され、外部ＡＣ電源からアンプ５１に電力を供給する。テレビ電源ケーブル５３は、テレビ４本体のＡＣケーブルであり、アンプ５１に接続され、アンプ５１から電力の供給を受ける。音声ケーブル５４は、テレビ４本体の音声ケーブルであり、音声出力端子およびアンプ５１を接続する。スピーカケーブル５５は、アンプ５１およびスピーカ３の端子を接続するケーブルであり、アンプ５１により増幅された音声信号をスピーカ３に供給する。
【００６８】
スピーカケーブル５５Ａは、アンプ５１からアーム２２Ａ内および取付部２３Ａ内の空洞を通ってスピーカ３Ａまで延設される。スピーカケーブル５５Ｂは、アンプ５１からアーム２２Ｂ内および取付部２３Ｂ内の空洞を通ってスピーカ３Ｂまで延設される。スピーカケーブル５５Ｃは、アンプ５１からアーム２２Ｃ内および取付部２３Ｃ内の空洞を通ってスピーカ３Ｃまで延設される。スピーカケーブル５５Ｄは、アンプ５１からアーム２２Ｄ内および取付部２３Ｄ内の空洞を通ってスピーカ３Ｄまで延設される。
【００６９】
〈効果〉
上記によれば、基体２１がアンプ５１を内蔵することにより、外付けのアンプを設ける場合に比べて、省スペース化を図ることができる。
【００７０】
次に、テレビ電源ケーブル５３は、電源を内蔵するアンプ５１およびアンプ電源ケーブル５２を介してして外部ＡＣ電源と接続することにより、テレビ４の背面４２における配線を整然とすることができる。また、テレビ４の音声出力は音声ケーブル５４を介してアンプ５１と接続され、アンプ５１はスピーカ支持体２内の空洞を通るスピーカケーブル５５を介してスピーカ３と接続されることにより、テレビ４の音声出力からスピーカ３までの配線がテレビ４の正面側から見えなくなり、スピーカ３の配置後の配線を整然とすることができる。従って、テレビ４の背面４２に別筐体のスピーカ３を設置しても、背面４２の周辺が煩雑にならずに済み、テレビ４の正面から見たときの外観を損なわない。
【００７１】
〔実施形態５〕
次に、本発明の実施形態５に係るテレビ４の背面４２におけるサブウーファの設置について説明する。本発明の実施形態５は、テレビ４の背面４２におけるサブウーファの設置に関するものである。
【００７２】
本発明の実施形態５に係るテレビ４の背面４２の外観について、図９を参照して説明する。図９は、本実施形態に係るスピーカ支持体２が取り付けられたテレビ４の背面図である。図９に示すように、基体２１に内蔵される形で、超低音用のスピーカであるサブウーファ６が設置されている。
【００７３】
〈効果〉
上記によれば、基体２１にサブウーファ６を設けることにより、外付けのサブウーファを設ける場合に比べて、省スペース化を図ることができる。なお、サブウーファ６の出力する低音は、指向性がなく、人の聴感上定位を感じにくい。従って、サブウーファ６の設置場所の自由度は高く、サブウーファ６の開口部がテレビ４の正面に対して後方を向いていても支障はない。
【００７４】
〔まとめ〕
本発明の態様１に係るスピーカ支持体（２）は、板状装置（テレビ４）の背面に取り付け可能な基体（２１）と、上記基体が上記背面に取り付けられたときに、上記基体から上記背面と略平行に伸びるアームであって、上記背面と略垂直な軸を回転軸として回転可能なアーム（２２）と、上記アームの先端に設けられた、スピーカ（３）を取り付けるための取付部（２３）と、を備えている。
【００７５】
上記の構成によれば、利用者は、アームを回転させることにより、スピーカの高さを変更することができる。また、利用者は、アームを回転させることにより、アームが板状装置の背面に設けられた部材と干渉することを回避することができる。
【００７６】
本発明の態様２に係るスピーカ支持体は、上記態様１において、上記アームとして、一端が上記基体に連結され、他端に上記取付部が設けられた複数のアームを備えており、これら複数のアームが互いに独立に回転可能であることとしてもよい。
【００７７】
上記の構成によれば、複数のアームを互いに独立して回転させることができるので、板状装置に対する複数のスピーカの位置を任意に調整することができる。従って、複数のスピーカのうち、いずれか２個のスピーカの中点にできる音像の位置を任意に調整することができる。
【００７８】
本発明の態様３に係るスピーカ支持体は、上記態様１において、上記アームとして、上記基体内で交差する２本のアームを備えており、上記取付部として、上記２本のアームの両端に設けられた、合計４つの取付部を備えていることとしてもよい。
【００７９】
上記の構成によれば、２本のアームの両端にそれぞれスピーカを取り付けるための取付部が設けられるので、板状装置の左右両側に上下２つのスピーカを取り付けることができる。したがって、例えば、ツイータとウーファとを板状装置の左右両側に好適に配置することができる。また、各アームの両端にスピーカが取り付けられることにより、一方のスピーカの重量によるトルクが他方のスピーカの重量によるトルクにより相殺されるので、アームの一端にスピーカを取り付ける場合と比べて、重量のあるスピーカを容易に支持することができる。
【００８０】
本発明の態様４に係るスピーカ支持体は、上記態様１から３において、上記アームが、伸縮可能であることとしてもよい。
【００８１】
上記の構成によれば、板状装置のサイズによらず、スピーカを板状装置の側面に沿って配置することができる。すなわち、板状装置のサイズが大きいときに、スピーカが板状装置の背面に隠れることにより、スピーカから出力される音波が板状装置により遮蔽されることを回避することができる。また、板状装置のサイズが小さいときに、スピーカが板状装置から大きく離間して、美観を損ねたり、設置に要するスペースが大きくなったりすることを回避することができる。
【００８２】
本発明の態様５に係るスピーカ支持体は、上記態様１から４において、上記取付部が、当該取付部に取り付けられたスピーカの位置を、上記アームの回転軸に平行な方向にスライドさせるためのスライド機構を有していることとしてもよい。
【００８３】
上記の構成によれば、板状装置およびスピーカ全体の重心位置を前後方向に変えることができる。従って、板状装置およびスピーカを転倒しにくい状態にすることができる。
【００８４】
本発明の態様６に係るスピーカ支持体は、上記態様１から５において、上記取付部が、当該取付部に取り付けられたスピーカの向きを、上記アームの長手軸に平行な第１軸を回転軸として回転させるための回転機構、及び、当該取付部に取り付けられたスピーカの向きを、上記アームの回転軸と長手軸との双方に直交する第２軸を回転軸として回転させるための回転機構の一方、又は、両方を有していることとしてもよい。
【００８５】
上記の構成によれば、利用者は、より良好なステレオイメージが得られるよう、スピーカの向きを変更することができる。
【００８６】
本発明の態様７に係るスピーカ支持体は、上記態様１から６において、上記基体には、アンプが内蔵されていることとしてもよい。
【００８７】
上記の構成によれば、外付けのアンプを設ける場合に比べて、省スペース化を図ることができる。
【００８８】
本発明の態様８に係るスピーカ支持体は、上記態様１から７において、上記基体には、サブウーファが設けられていることとしてもよい。
【００８９】
上記の構成によれば、外付けのサブウーファを設ける場合に比べて、省スペース化を図ることができる。なお、サブウーファの出力する低音は、指向性がなく、人の聴感上定位を感じにくいので、サブウーファの設置場所の自由度は高く、サブウーファの開口部が板状装置の背面方向を向いていても支障はない。
【００９０】
本発明の態様９に係るスピーカ支持体は、上記態様１から８において、上記板状装置が、テレビジョン受像機であることとしてもよい。
【００９１】
本発明の態様１０に係るスピーカシステム（１）は、上記態様１から９におけるスピーカ支持体と、上記取付部に取り付けられたスピーカと、を備えている。
【００９２】
本発明の態様１１に係るスピーカシステムは、上記態様１０において、上記スピーカ支持体が、上記取付部として４つの取付部を有しており、右上及び左上の取付部に取り付けられたスピーカが、ツイータであり、右下及び左下の取付部に取り付けられたスピーカが、ウーファであることとしてもよい。
【００９３】
上記の構成によれば、ウーファはツイータより重量があるため、ツイータを上側に配置し、ウーファを下側に配置することにより、板状装置およびスピーカ全体の重心位置を下げることができるので、板状装置およびスピーカを転倒しにくい状態にすることができる。
【００９４】
本発明の態様１２に係るスピーカシステムは、上記態様１０および１１において、上記取付部に取り付けられたスピーカの形状は、上記板状装置の正面から見たときに円形であることとしてもよい。
【００９５】
上記の構成によれば、スピーカの形状が円形になっているので、矩形のスピーカと比較して、アームを回転させたとしても、板状装置の正面から見たときの外観を損なうことがない。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９７】
本発明は、別筐体のスピーカが取り付けられる板状装置に利用することができる。
【符号の説明】
【００９８】
１  スピーカシステム
２  スピーカ支持体
２１  基体
２２  アーム
２３  取付部
３  スピーカ
４  テレビ（板状装置）
【図１】
2016167765.tif 000003
【図２】
2016167765.tif 000004
【図３】
2016167765.tif 000005
【図４】
2016167765.tif 000006
【図５】
2016167765.tif 000007
【図６】
2016167765.tif 000008
【図７】
2016167765.tif 000009
【図８】
2016167765.tif 000010
【図９】
2016167765.tif 000011